(57)【要約】【課題】未然に重複予約を回避することが可能な予約実行方法、予約実行システム及び表示装置を提供する。【解決手段】放送番組の録画予約を受け付ける入力部を有する表示装置は、録画予約の開始を示す信号を入力部から受け付けた場合、予め記憶部に記憶されており録画装置へ送信される予約情報を読み出し手段により読み出す。同様に、補助読み出し手段は予め録画装置から表示装置へ送信され記憶部に記憶された予約情報を読み出す。そして、読み出し手段により読み出した予約情報及び補助読み出し手段により読み出した予約情報を例えば電子番組表に表示手段により表示する。【選択図】図３
2008301276.tif 000002
【特許請求の範囲】
【請求項１】
放送番組の録画予約を受け付ける入力部及び制御部を有する表示装置及び該表示装置に接続される録画装置により放送番組の録画予約を実行する予約実行方法において、
録画予約の開始を示す信号を前記入力部から受け付けるステップと、
該ステップにより開始信号を受け付けた場合に、予め前記表示装置の記憶部に記憶されており前記録画装置へ送信される予約情報を前記制御部により読み出す読み出しステップと、
予め前記録画装置から前記表示装置へ送信され前記記憶部に記憶された予約情報を前記制御部により読み出す補助読み出しステップと、
前記読み出しステップにより読み出した予約情報及び前記補助読み出しステップにより読み出した予約情報を表示する表示ステップと
を備えることを特徴とする予約実行方法。
【請求項２】
放送番組の録画予約を受け付ける入力部を有する表示装置及び該表示装置に接続される録画装置により放送番組の録画予約を実行する予約実行システムにおいて、
前記表示装置は、
録画予約の開始を示す信号を前記入力部から受け付ける手段と、
該手段により開始信号を受け付けた場合に、予め記憶部に記憶されており前記録画装置へ送信される予約情報を読み出す読み出し手段と、
予め前記録画装置から送信されて前記記憶部に記憶された予約情報を読み出す補助読み出し手段と、
前記読み出し手段により読み出した予約情報及び前記補助読み出し手段により読み出した予約情報を表示する表示手段と
を備えることを特徴とする予約実行システム。
【請求項３】
前記表示手段は、
前記読み出し手段により読み出した予約情報及び前記補助読み出し手段により読み出した予約情報を電子番組表に表示するよう構成してある
ことを特徴とする請求項２に記載の予約実行システム。
【請求項４】
前記表示手段は、
外部から受信した電子番組表を読み出す表読み出し手段と、
前記読み出し手段により読み出した予約情報を前記表読み出し手段により読み出した電子番組表に合成する合成手段と、
前記補助読み出し手段により読み出した予約情報を前記表読み出し手段により読み出した電子番組表に前記合成手段により合成した予約情報とは異なる情報を付加して合成する補助合成手段と、
前記合成手段及び補助合成手段により予約情報が合成された電子番組表を表示部に表示する手段と
を備えることを特徴とする請求項２に記載の予約実行システム。
【請求項５】
前記合成手段により合成される予約情報に対応する日時及び前記補助合成手段により合成される予約情報に対応する日時に録画予約が禁止される旨の情報を前記電子番組表に付加する手段
を備えることを特徴とする請求項４に記載の予約実行システム。
【請求項６】
前記読み出し手段及び前記補助読み出し手段により読み出した予約情報に対応する日時の録画予約を受け付けた場合に、警告画面を前記表示部に表示する手段
を備えることを特徴とする請求項２乃至５のいずれか一つに記載の予約実行システム。
【請求項７】
前記録画装置は、
録画予約を受け付ける手段と、
該手段により受け付けた予約情報を前記表示装置へ送信する送信手段とを備え、
前記表示装置は、
前記送信手段により送信された前記録画装置の予約情報を前記記憶部に記憶する手段と
を備えることを特徴とする請求項２乃至６のいずれか一つに記載の予約実行システム。
【請求項８】
前記表示装置は、
前記送信手段により送信された予約情報と予め前記記憶部に記憶されており前記録画装置へ送信される予約情報とを比較し、予約情報に対応する日時が重複する場合に、警告情報を前記表示部へ表示する手段と
を備えることを特徴とする請求項７に記載の予約実行システム。
【請求項９】
放送番組の録画予約を入力部から受け付けて実行する表示装置において、
録画予約の開始を示す信号を前記入力部から受け付ける手段と、
該手段により開始信号を受け付けた場合に、予め記憶部に記憶されており接続された録画装置へ送信される予約情報を読み出す読み出し手段と、
予め前記録画装置から送信されて前記記憶部に記憶された予約情報を読み出す補助読み出し手段と、
前記読み出し手段により読み出した予約情報及び前記補助読み出し手段により読み出した予約情報を表示する表示手段と
を備えることを特徴とする表示装置。
【発明の詳細な説明】
【技術分野】
【０００１】
本発明は、放送番組の録画予約を受け付ける入力部及び制御部を有する表示装置及び該表示装置に接続される録画装置により放送番組の録画予約を実行する予約実行方法、予約実行システム並びに表示装置に関する。
【背景技術】
【０００２】
近年映像を表示する表示装置及び映像を録画する録画装置を例えばＨＤＭＩ（High-Definition Multimedia Interface）ケーブルまたはＬＡＮ（Local Area Network）ケーブル等で接続し、互いの連携を図るシステムが普及している。例えば放送番組の録画予約に際しては、録画装置側からだけではなく、表示装置側からでも録画予約が行うことができる。表示装置側で予約を行い予約時間に至った場合に、予約情報が録画装置へ送信され録画が開始される。
【０００３】
このようなシステムにおいては、表示装置及び録画装置の双方で別個に録画予約が行われた場合、同時間帯に予約が重複することがある。例えば特許文献１には、放送番組の録画予約を受け付け、これが予め記憶した録画予約と時間帯が重複する場合、いずれかの録画予約を取り消す録画予約管理装置が開示されている。
【特許文献１】特開平１１−１３６６１５号公報
【発明の開示】
【発明が解決しようとする課題】
【０００４】
しかしながら、特許文献１に記載の録画予約管理装置は一旦録画予約情報を入力した後に、重複が存在するか否かを判断するため、ユーザが予約情報を入力した時点では重複に気づかない虞があった。特に、予約時間に達した時点で、表示装置から録画装置側へ録画指示を与えた際に、録画装置側でも既に同時間帯に予約が別途なされている場合があり、かかる状況下ではいずれかの予約を実行できないという問題があった。
【０００５】
本発明は斯かる事情に鑑みてなされたものであり、その目的は、予め表示装置及び録画装置で予約された予約情報を記憶しておき、表示装置側からの予約に際し、双方の予約情報を併せて表示することにより、未然に重複予約を回避することが可能な予約実行方法、予約実行システム及び表示装置を提供することにある。
【課題を解決するための手段】
【０００６】
本発明に係る予約実行方法は、放送番組の録画予約を受け付ける入力部及び制御部を有する表示装置及び該表示装置に接続される録画装置により放送番組の録画予約を実行する予約実行方法において、録画予約の開始を示す信号を前記入力部から受け付けるステップと、該ステップにより開始信号を受け付けた場合に、予め前記表示装置の記憶部に記憶されており前記録画装置へ送信される予約情報を前記制御部により読み出す読み出しステップと、予め前記録画装置から前記表示装置へ送信され前記記憶部に記憶された予約情報を前記制御部により読み出す補助読み出しステップと、前記読み出しステップにより読み出した予約情報及び前記補助読み出しステップにより読み出した予約情報を表示する表示ステップとを備えることを特徴とする。
【０００７】
本発明に係る予約実行システムは、放送番組の録画予約を受け付ける入力部を有する表示装置及び該表示装置に接続される録画装置により放送番組の録画予約を実行する予約実行システムにおいて、前記表示装置は、録画予約の開始を示す信号を前記入力部から受け付ける手段と、該手段により開始信号を受け付けた場合に、予め記憶部に記憶されており前記録画装置へ送信される予約情報を読み出す読み出し手段と、予め前記録画装置から送信されて前記記憶部に記憶された予約情報を読み出す補助読み出し手段と、前記読み出し手段により読み出した予約情報及び前記補助読み出し手段により読み出した予約情報を表示する表示手段とを備えることを特徴とする。
【０００８】
本発明に係る予約実行システムは、前記表示手段は、前記読み出し手段により読み出した予約情報及び前記補助読み出し手段により読み出した予約情報を電子番組表に表示するよう構成してあることを特徴とする。
【０００９】
本発明に係る予約実行システムは、前記表示手段は、外部から受信した電子番組表を読み出す表読み出し手段と、前記読み出し手段により読み出した予約情報を前記表読み出し手段により読み出した電子番組表に合成する合成手段と、前記補助読み出し手段により読み出した予約情報を前記表読み出し手段により読み出した電子番組表に前記合成手段により合成した予約情報とは異なる情報を付加して合成する補助合成手段と、前記合成手段及び補助合成手段により予約情報が合成された電子番組表を表示部に表示する手段とを備えることを特徴とする。
【００１０】
本発明に係る予約実行システムは、前記合成手段により合成される予約情報に対応する日時及び前記補助合成手段により合成される予約情報に対応する日時に録画予約が禁止される旨の情報を前記電子番組表に付加する手段を備えることを特徴とする。
【００１１】
本発明に係る予約実行システムは、前記読み出し手段及び前記補助読み出し手段により読み出した予約情報に対応する日時の録画予約を受け付けた場合に、警告画面を前記表示部に表示する手段を備えることを特徴とする。
【００１２】
本発明に係る予約実行システムは、前記録画装置は、録画予約を受け付ける手段と、該手段により受け付けた予約情報を前記表示装置へ送信する送信手段とを備え、前記表示装置は、前記送信手段により送信された前記録画装置の予約情報を前記記憶部に記憶する手段とを備えることを特徴とする。
【００１３】
本発明に係る予約実行システムは、前記表示装置は、前記送信手段により送信された予約情報と予め前記記憶部に記憶されており前記録画装置へ送信される予約情報とを比較し、予約情報に対応する日時が重複する場合に、警告情報を前記表示部へ表示する手段とを備えることを特徴とする。
【００１４】
本発明に係る表示装置は、放送番組の録画予約を入力部から受け付けて実行する表示装置において、録画予約の開始を示す信号を前記入力部から受け付ける手段と、該手段により開始信号を受け付けた場合に、予め記憶部に記憶されており接続された録画装置へ送信される予約情報を読み出す読み出し手段と、予め前記録画装置から送信されて前記記憶部に記憶された予約情報を読み出す補助読み出し手段と、前記読み出し手段により読み出した予約情報及び前記補助読み出し手段により読み出した予約情報を表示する表示手段とを備えることを特徴とする。
【００１５】
本発明にあっては、表示装置は、録画予約の開始を示す信号を入力部から受け付けた場合、予め記憶部に記憶されており録画装置へ送信される予約情報を読み出し手段により読み出す。同様に、補助読み出し手段は、予め録画装置から表示装置へ送信され記憶部に記憶された予約情報を読み出す。そして、読み出し手段により読み出した予約情報及び補助読み出し手段により読み出した予約情報を例えば電子番組表に表示手段により表示する。
【００１６】
本発明にあっては、表読み出し手段は、外部から受信した電子番組表を読み出す。そして合成手段は読み出し手段により読み出した予約情報を表読み出し手段により読み出した電子番組表に合成し、また補助合成手段は、補助読み出し手段により読み出した予約情報を表読み出し手段により読み出した電子番組表に合成手段により合成した予約情報とは異なる情報を付加して合成する。合成手段及び補助合成手段により予約情報が合成された電子番組表は表示部に表示される。
【００１７】
本発明にあっては、合成手段により合成される予約情報に対応する日時及び補助合成手段により合成される予約情報に対応する日時に、録画予約が禁止される旨の情報が電子番組表に付加される。
【００１８】
本発明にあっては、読み出し手段及び補助読み出し手段により読み出した予約情報に対応する日時の録画予約を受け付けた場合、警告画面が表示部に表示される。
【００１９】
本発明にあっては、録画装置は、録画予約を受け付け、受け付けた予約情報を送信手段により表示装置へ送信する。表示装置は送信手段により送信された録画装置の予約情報を記憶部に記憶する。表示装置は、重複予約を防止すべく、送信手段により送信された予約情報と予め記憶部に記憶されており録画装置へ送信される予約情報とを比較する。そして、予約情報に対応する日時が重複する場合、表示部に警告情報を表示する。
【発明の効果】
【００２０】
本発明にあっては、読み出し手段により読み出した表示装置に係る予約情報及び補助読み出し手段により読み出した録画装置に係る予約情報を表示手段により表示する。これにより、事前に表示装置及び録画装置双方に係る予約情報が録画予約を完了する前に、ユーザに表示される。これにより、ユーザは予約状態を視認することができ、ユーザの重複登録の手間を未然に防止できる。
【００２１】
本発明にあっては、合成手段は読み出し手段により読み出した予約情報を表読み出し手段により読み出した電子番組表に合成し、また補助合成手段は、補助読み出し手段により読み出した予約情報を表読み出し手段により読み出した電子番組表に合成手段により合成した予約情報とは異なる情報を付加して合成する。合成手段及び補助合成手段により予約情報が合成された電子番組表は表示部に表示される。これにより、電子番組表に表示装置及び録画装置双方の予約情報が識別可能に視認することができるため、より効率よく予約の管理が可能となる等、本発明は優れた効果を奏する。
【発明を実施するための最良の形態】
【００２２】
実施の形態１
以下本発明の実施の形態を、図面を参照して説明する。図１は表示装置のハードウェア構成を示すブロック図、図２は録画装置のハードウェア構成を示すブロック図である。図１に示す表示装置１と図２に示す録画装置２とは相互に接続されており、これらにより予約実行システムが構成される。まず図１を用いて表示装置１のハードウェア構成を説明する。表示装置１は例えば液晶テレビ、またはプラズマテレビ等であり、制御部１１、ＧＵＩ（Graphical User Interface）表示処理部１２、入力部１３、表示部１４、記憶部１５、通信部１６、チューナ１７、時計部１８、ＥＰＧ（Electric Program Guide）取得部１９、及び映像データ処理部１７１等を含んで構成される。以下では、表示装置１を液晶テレビであるものとして説明する。
【００２３】
マイクロプロセッサ及びＲＡＭ等を有する制御部１１は、バスを介して表示装置１のハードウェア各部と接続されていて、それらを制御すると共に、記憶部１５に格納された制御プログラム１５Ｐに従って、種々のソフトウェア的機能を実行する。チューナ１７はＭＰＥＧ（Moving Pictures Experts Group）−２等のプロトコルにより伝送されるデジタル放送に係るデータストリームを受信する。チューナ１７は復調処理及び復号処理等を行い、復調等の処理が行われた映像データを映像データ処理部１７１へ出力する。
【００２４】
映像データ処理部１７１は内部にＲ、Ｇ、Ｂ各色を補正する補正回路及び各種の映像信号のフォーマットを表示部１４で表示することが可能な画素数に変換するスケーラ等を含み、当該補正回路及びスケーラ等で画像処理がなされた映像データを液晶パネル等の表示部１４へ出力する。チューナ１７で受信したデータストリーム中には電子番組表（以下、ＥＰＧという）に係るデータが含まれておりＥＰＧ取得部１９はデータストリーム中のＥＰＧを取得し制御部１１へ出力する。
【００２５】
入力部１３は表示装置１の図示しない筐体上面等に配置された各種操作ボタン（図示せず）及び操作ボタンが多数配置された図示しないリモコンからの操作信号を受信する赤外線受信部（図示せず）であり、入力された選局情報、ボリュームの操作情報、及び、録画予約情報等の操作情報を制御部１１へ出力する。制御部１１は入力部１３から受け付けた選局情報に基づき、チャンネルの切り替え指示をチューナ１７に対し行い、表示部１４は選択されたチャンネルに係る映像データを表示する。時計部１８は現在の日時情報を制御部１１へ出力する。
【００２６】
制御部１１は入力部１３からＥＰＧを表示すべき旨の情報を受け付けた場合、ＥＰＧ取得部１９から出力されるＥＰＧをＧＵＩ表示処理部１２へ出力する。ＧＵＩ表示処理部１２はＥＰＧ、放送番組（以下、番組という）の録画予約の情報、チャンネル番号、現在日時、及びボリューム等の各種情報を表示部１４へ割り込み出力する回路である。例えばＥＰＧを表示する場合、表示領域の一部小領域に映像データを表示すると共に、他の領域に制御部１１から出力されたＥＰＧを表示部１４に表示する。
【００２７】
記憶部１５は例えばハードディスク等で構成され内部には上述した制御プログラム１５Ｐの他、テレビ側予約情報ファイル１５１及びレコーダ側予約情報ファイル１５２を格納している。入力部１３から入力された番組の予約情報は制御部１１へ出力され、制御部１１は出力された番組の予約情報をテレビ側予約情報ファイル１５１に記憶する。予約に際しては、例えば表示部１４にＥＰＧを表示させ、録画予約を希望する番組にカーソルを合わせ、図示しない録画予約ボタンを入力部１３から入力するようにすればよい。この場合、録画日時及びチャンネルの情報がテレビ側予約情報ファイル１５１に記憶される。
【００２８】
制御部１１はテレビ側予約情報ファイル１５１を監視しており、時計部１８からの日時情報を参照して、記憶した録画日時まで一定時間以内となった場合に、通信部１６を介して図２に示す録画装置２へ録画日時及びチャンネルを含む予約情報を送信する。なお、レコーダ側予約情報ファイル１５２の詳細については後述する。通信部１６は例えばＬＡＮカードまたはＨＤＭＩ（High Definition Multimedia Interface）送受信回路等であり、映像データの他、各種制御情報を表示装置１及び録画装置２間で送受信する。以下では、ＨＤＭＩにより情報の送受信を行うものとして説明する。
【００２９】
続いて図２に基づき録画装置２のハードウェア構成について説明する。録画装置２は例えばハードディスク及びＤＶＤ（Digital Versatile Disc）等による映像データの記録及び再生が可能なＨＤＤレコーダであり、制御部２１、ＧＵＩ表示処理部２２、入力部２３、記憶部２５、通信部２６、チューナ２７、時計部２８、ＥＰＧ取得部２９、録画再生部２７２及び映像データ処理部２７１等を含んで構成される。マイクロプロセッサ及びＲＡＭ等を有する制御部２１は、バスを介して録画装置２のハードウェア各部と接続されていて、それらを制御すると共に、記憶部２５に格納された制御プログラム２５Ｐに従って、種々のソフトウェア的機能を実行する。チューナ２７はデジタル放送に係るデータストリームを受信する。チューナ１７は復調処理及び復号処理等を行い、復調等の処理が行われた映像データを映像データ処理部２７１へ出力する。
【００３０】
映像データ処理部２７１は内部に補正回路及びスケーラ等を含みこれらで画像処理がなされた映像データを通信部２６へ出力する。映像データは通信部２６を介して表示装置１側の通信部１６へ出力される。表示装置１の制御部１１は外部入力として入力された録画装置２からの映像データを表示部１４に表示する。ＥＰＧ取得部２９はデータストリーム中のＥＰＧを取得し制御部２１へ出力する。
【００３１】
入力部２３は録画装置２の図示しない筐体前面に配置された各種操作ボタン（図示せず）及び操作ボタンが多数配置された図示しない録画装置２用のリモコンからの操作信号を受信する赤外線受信部（図示せず）であり、入力された選局情報、再生、早送り、巻き戻し、録画等の操作情報、及び、録画予約情報等の操作情報を制御部２１へ出力する。制御部２１は入力部２３から受け付けた選局情報に基づき、チャンネルの切り替え指示をチューナ２７に対し行い、通信部２６からは選択されたチャンネルに係る映像データを表示装置１へ出力する。時計部２８は現在の日時情報を制御部２１へ出力する。
【００３２】
録画再生部２７２はハードディスクまたはＤＶＤ等へ映像データを記憶すると共に記憶された映像データを読み出して映像データ処理部２７１へ出力する。制御部２１は入力部２３から入力された再生、または録画等の操作情報に基づき録画再生部２７２を制御し、映像データの記憶及び再生等の処理を行う。制御部２１は入力部２３からＥＰＧを表示すべき旨の情報を受け付けた場合、ＥＰＧ取得部２９から出力されるＥＰＧをＧＵＩ表示処理部２２へ出力する。ＧＵＩ表示処理部２２はＥＰＧ、番組録画予約の情報、チャンネル番号、現在日時、及び再生中または録画中等の各種情報を映像データに割り込ませる回路である。ＥＰＧが表示された映像データは通信部２６を介して表示装置１へ出力され表示部１４に表示される。
【００３３】
記憶部２５は例えばハードディスク等で構成され内部には上述した制御プログラム２５Ｐの他、レコーダ側予約情報ファイル２５１を格納している。入力部２３から入力された番組の予約情報は制御部２１へ出力され、制御部２１は出力された番組の予約情報をレコーダ側予約情報ファイル２５１に記憶する。予約に際しては例えば表示部１４にＥＰＧを表示させ、録画予約を希望する番組にカーソルを合わせ、図示しない録画予約ボタンを入力部２３から入力するようにすればよい。この場合、録画日時及びチャンネルの情報がレコーダ側予約情報ファイル２５１に記憶される。
【００３４】
制御部２１はレコーダ側予約情報ファイル２５１を監視しており、時計部２８からの日時情報を参照して、記憶した録画日時となった場合に、録画再生部２７２を制御し、チューナ２７にて受信した予約されたチャンネルに係る映像データを録画再生部２７２内のハードディスク等に記憶する。表示装置１のテレビ側予約情報ファイル１５１に記憶された予約情報に基づき通信部１６から録画装置２の通信部２６へ、予約情報が送信された場合、制御部２１はこれを受信する。制御部２１は予約情報内の録画日時及びチャンネルを参照し、チューナ２７のチャンネル切り替えを行い、録画再生部２７２内のハードディスク等に、録画日時以降の映像データを記憶する。
【００３５】
通信部１６と通信部２６との間の予約情報はＣＥＣ（Consumer Electronics Control）プロトコルに基づき送受信される。録画装置２の制御部２１は入力部２３から入力された予約情報に基づきレコーダ側予約情報ファイル２５１に予約情報が記憶された場合、これを読み出し、通信部２６を介して予約情報を通信部１６へ送信する。制御部１１は通信部１６から出力された録画装置２側の予約情報をレコーダ側予約情報ファイル１５２に記憶する。レコーダ側予約情報ファイル１５２には録画日時及びチャンネルが記憶される。制御部１１はテレビ側予約情報ファイル１５１及びレコーダ側予約情報ファイル１５２に記憶された双方の予約情報をＥＰＧに合成して表示する。
【００３６】
図３はＥＰＧの表示イメージを示す説明図である。ユーザは録画予約を実行する場合、入力部１３の録画予約ボタン（図示せず）を操作する。制御部１１は録画予約ボタンをトリガに、入力部１３を通じて入力された録画予約開始信号を受け付け、図３に示すＥＰＧを、ＧＵＩ表示処理部１２を介して表示部１４に表示する。ＥＰＧにはチャンネル別に各時間帯の番組情報が表示される。例えばチャンネル１では午後３時から午後４時までニュースが放送されることが表示されている。ユーザは入力部１３からハッチングで示すカーソル１２１を操作し、録画予約を希望する番組を選択する。図３の例では、入力部１３によりカーソル１２１がチャンネル１の午後４時から午後５時まで放送されるスポーツ番組を選択している。ユーザが当該番組の録画を希望する場合、カーソル１２１を番組に一致させた上で、図示しない決定ボタン等により入力部１３から予約情報を入力する。制御部１１は入力されたチャンネル及び録画日時からなる予約情報をテレビ側予約情報ファイル１５１に記憶する。
【００３７】
入力部１３から録画予約開始信号を受け付けた場合、ＥＰＧ中にはさらに表示装置１側及び録画装置２側双方の予約情報が表示される。これは事前に双方の予約情報を表示することで、重複予約を未然に防止するためのものである。制御部１１はテレビ側予約情報ファイル１５１から予約情報を読み出し、ＥＰＧ上の予約情報に対応するチャンネル及び時間帯に、表示装置１側の予約情報を合成すると共に、表示装置１側の識別情報を付加する。この表示装置１側の識別情報としては例えば表示装置１を模式的に示すアイコン、表示装置１の文字、または表示装置１に対応する色（例えば青色）等である。本実施の形態においては表示装置１を模式的に示すアイコン及び色を識別情報であるものとして説明する。
【００３８】
図３の例では、チャンネル１の午後３時から午後４時の時間帯に、「ＴＶ録画予約」の文字が予約情報として合成され、さらに同時間帯の同チャンネルに、識別情報たる表示装置１のアイコンが予約情報としてＥＰＧに付加されている。また制御部１１は同時間帯の同チャンネルのＥＰＧに青色を着色する処理を行う。制御部１１はテレビ側予約情報ファイル１５１に記憶された全ての予約情報について同様の処理を行う。さらに制御部１１は、入力部１３から録画予約開始信号を受け付けた場合、レコーダ側予約情報ファイル１５２から予約情報を読み出し、ＥＰＧ上の予約情報に対応するチャンネル及び時間帯に、録画装置２側の予約情報を合成すると共に、録画装置２側の識別情報をＥＰＧに付加する。
【００３９】
録画装置２側の識別情報としては例えば録画装置２を模式的に示すアイコン、録画装置２の文字、または録画装置２に対応する色（例えば黄色）等である。本実施の形態においては録画装置２を模式的に示すアイコンを識別情報であるものとして説明する。図３の例では、制御部１１は、チャンネル２の午後５時から午後７時の時間帯（番組は映画である）に、「レコーダ録画予約」の文字を予約情報として合成している。さらに制御部１１は識別情報たる録画装置２のアイコンを、同時間帯の同チャンネル上のＥＰＧに付加する。さらに制御部１１は同時間帯の同チャンネル上のＥＰＧに黄色を着色する処理を行う。制御部１１はレコーダ側予約情報ファイル１５２に記憶された全ての予約情報について同様の合成処理を行う。以上の如く表示装置１及び録画装置２双方の予約情報が相互に識別可能にＥＰＧ上に制御部１１により合成され、合成されたＥＰＧはＧＵＩ表示処理部１２の制御に従い表示部１４に表示される。
【００４０】
さらに制御部１１は録画予約がなされた時間帯と同一時間帯の録画予約を未然に防止すべく、録画予約が禁止される旨の情報をＥＰＧに付加する処理を行う。制御部１１は予約情報をＥＰＧに合成した後、合成された予約情報に係る録画日時と同一日時の全てのチャンネルについて、録画予約が禁止される旨の情報をＥＰＧに付加する。この録画予約が禁止される旨の情報の付加は、録画日時と同一日時の全てのチャンネルに予約不可の文字を付加すること、または、表示装置１に係る予約情報の着色（青色）及び録画装置２に係る予約情報の着色（黄色）とは異なる着色（赤色）を付加する等すればよい。
【００４１】
図３の例では、午後３時から午後４時までのチャンネル１以外のチャンネルは、予約不可の文字及びハッチングで示す赤色の着色がＥＰＧに付加されている。同様に、午後５時から午後７時までのチャンネル２以外のチャンネルも、予約不可の文字及びハッチングで示す赤色の着色がＥＰＧに付加されている。制御部１１は表示装置１及び録画装置２双方の予約情報に基づき同一時間帯の他のチャンネルについて録画予約が禁止される旨の情報をＥＰＧに付加する。ＧＵＩ表示処理部１２は録画予約が禁止される旨の情報が付加されたＥＰＧを表示部１４に表示する。
【００４２】
図４は警告画面の表示イメージを示す説明図である。制御部１１は入力部１３から予約情報に対応する日時と同一日時の録画予約を受け付けた場合、予約設定が行えないことを示す警告画面を表示部１４に表示する。図４の例では、午後６時から午後７時の時間帯のチャンネル１にカーソル１２１が移動され、ユーザが入力部１３から図示しない決定ボタンを操作した状態を示している。制御部１１は入力部１３から録画予約を受け付け、これがテレビ側予約情報ファイル１５１及びレコーダ側予約情報ファイル１５２に記憶された予約情報に係る日時と重複する日時である場合、記憶部１５に記憶した警告情報としての警告画面を読み出し、ＧＵＩ表示処理部１２に出力する。ＧＵＩ表示処理部１２は出力された警告画面を表示部１４に割り込み表示する。図４の例では「予約設定できません」とする文字が表示部１４に表示される。
【００４３】
以上のハードウェア構成において予約情報の表示処理の手順を、フローチャートを用いて説明する。図５及び図６は予約情報の表示処理の手順を示すフローチャートである。表示装置１の制御部１１は入力部１３から録画予約の開始信号を受け付けたか否かを判断する（ステップＳ５１）。制御部１１は入力部１３から録画予約の開始信号を受け付けていないと判断した場合（ステップＳ５１でＮＯ）、録画予約の開始信号を受け付けるまで待機する。一方、制御部１１は入力部１３から録画予約の開始信号を受け付けたと判断した場合（ステップＳ５１でＹＥＳ）、テレビ側予約情報ファイル１５１から表示装置１側で設定された予約情報を読み出す（ステップＳ５２）。
【００４４】
制御部１１はレコーダ側予約情報ファイル１５２から録画装置２側で設定された予約情報を読み出す（ステップＳ５３）。ＥＰＧ取得部１９はＥＰＧを取得し（ステップＳ５４）、取得したＥＰＧを制御部１１へ出力する。制御部１１はステップＳ５２で読み出した表示装置１側の予約情報をＥＰＧに合成し、また表示装置１を示すアイコンを付加すると共に色を着色する（ステップＳ５５）。具体的には、図３で示した如く、予約情報中の録画日時及びチャンネルを参照し、同時間帯の同チャンネルのＥＰＧに表示装置１側で録画予約が行われていることを示す文字を合成し、この近傍に表示装置１を示すアイコンを付加する。さらに同時間帯の同チャンネルのＥＰＧに青色で白等の背景色と識別することができるよう着色する。
【００４５】
制御部１１はステップＳ５３で読み出した録画装置２側の予約情報をＥＰＧに合成し、また録画装置２を示すアイコンを付加すると共に、ステップＳ５５で着色した色とは異なる色を着色する（ステップＳ５６）。具体的には、図３で示した如く、予約情報中の録画日時及びチャンネルを参照し、同時間帯の同チャンネルのＥＰＧに録画装置２側で録画予約が行われていることを示す文字を合成し、この近傍に録画装置２を示すアイコンを付加する。さらに同時間帯の同チャンネルのＥＰＧに黄色で白等の背景色と識別することができるよう着色する。
【００４６】
制御部１１はステップＳ５２及びＳ５３で読み出した予約情報中の日時と重複する時間帯に録画予約が禁止される旨の情報をＥＰＧに付加する（ステップＳ５７）。具体的には図３に示した如く、予約情報中の録画日時及びチャンネルを参照し、同時間帯の異なるチャンネルのＥＰＧに録画予約が禁止される旨の文字を付加し、さらに、同時間帯の異なるチャンネルのＥＰＧにステップＳ５５及びＳ５６で着色された色とは相違しかつ背景色とも異なる赤色を着色する。制御部１１はステップＳ５５乃至５７の処理が行われたＥＰＧをＧＵＩ表示処理部１２へ出力し、ＧＵＩ表示処理部１２はこれを受けてＥＰＧを表示部１４へ表示する（ステップＳ５８）。
【００４７】
制御部１１は予約情報を入力部１３から受け付ける（ステップＳ５９）。制御部１１はステップＳ５９で受け付けた予約情報がステップＳ５２及びＳ５３で読み出した予約情報に重複するか否かを判断する（ステップＳ６１）。具体的には読み出した予約情報に係る日時情報と入力部１３から受け付けた予約情報の日時情報が重複するか否かを判断する。制御部１１は予約情報が重複すると判断した場合（ステップＳ６１でＹＥＳ）、記憶部１５に記憶した警告画面を読み出し（ステップＳ６２）、ＧＵＩ表示処理部１２へ出力する。ＧＵＩ表示処理部１２は出力された警告画面を図４の如く表示部１４へ割り込み表示する（ステップＳ６３）。そして処理を再びステップＳ５９へ戻す。
【００４８】
一方、制御部１１は予約情報が重複しないと判断した場合（ステップＳ６１でＮＯ）、受け付けた予約情報をテレビ側予約情報ファイル１５１へ記憶する（ステップＳ６４）。制御部１１は時計部１８から出力される日時情報を参照し、テレビ側予約情報ファイル１５１に記憶した予約情報に係る予約時間の所定時間前（例えば３０秒前）であるか否かを判断する（ステップＳ６５）。なお、この所定時間は録画装置２の起動時間等を考慮して適宜の値とすればよい。制御部１１は予約時間の所定時間前でないと判断した場合（ステップＳ６５でＮＯ）、所定時間に達するまで待機する。一方、制御部１１は予約時間の所定時間前であると判断した場合（ステップＳ６５でＹＥＳ）、テレビ側予約情報ファイル１５１から予約情報を読み出す（ステップＳ６６）。そして制御部１１は読み出した予約情報を、通信部１６を介して録画装置２へ送信する（ステップＳ６７）。録画装置２はチューナ２７のチャンネルを予約情報に基づき切り替え、予約時間に達した場合に録画再生部２７２に映像データを記憶する。
【００４９】
実施の形態２
実施の形態２は録画装置２側から録画予約を実行する形態に関する。図７は録画装置２側のＥＰＧの表示イメージを示す説明図である。録画装置２側で予約情報を入力する場合、ユーザは表示装置１の入力を、入力部１３を通じて録画装置２側へ切り替える。録画装置２の入力部２３から録画予約の開始ボタンを操作する。制御部２１は録画予約の開始信号を入力部２３から受信した場合、ＥＰＧ取得部２９はＥＰＧを取得し、取得したＥＰＧを制御部２１へ出力する。制御部２１は記憶部２５のレコーダ側予約情報ファイル２５１を参照し、記憶されている予約情報を読み出す。
【００５０】
制御部２１は読み出した予約情報に係る日時情報及びチャンネル上のＥＰＧに予約情報を合成する。図７の例では午後５時〜午後７までチャンネル２において録画予約が存在していることが示されている。ユーザは入力部２３を操作し、カーソル１２１を動かし、希望する時間帯及びチャンネルを選択し図示しない決定ボタンを操作する。ここで入力部２３から入力された予約情報は制御部２１により受け付けられる。制御部２１は通信部２６を介して予約情報を表示装置１へ送信する。
【００５１】
表示装置１の制御部１１はテレビ側予約情報ファイル１５１及びレコーダ側予約情報ファイル１５２から予約情報を読み出し、受信した予約情報と重複するかを判断する。重複しない場合は、制御部１１はレコーダ側予約情報ファイル１５２に送信された予約情報を記憶する。また制御部１１は予約を許可する旨の信号を録画装置２へ送信する。録画装置２の制御部２１は予約を許可する旨の信号の受信をトリガに入力部２３から受け付けた予約情報をレコーダ側予約情報ファイル２５１に記憶する。
【００５２】
図８は録画装置２側における警告画面の表示イメージを示す説明図である。ここでユーザが午後３時〜午後４時のチャンネル１で放送されるニュースの録画予約を行う場合、表示装置１側の予約情報と重複することになる。表示装置１の制御部１１は送信された予約情報が重複する場合、記憶部１５に記憶した警告画面を読み出し、ＧＵＩ表示処理部１２へ出力する。ＧＵＩ表示処理部１２は警告画面を図８の如く表示部１４へ割り込み表示する。これにより、録画装置２側から予約を行う場合でも、未然に重複を防止することが可能となる。
【００５３】
図９、図１０及び図１１は実施の形態２に係る録画予約処理の手順を示すフローチャートである。表示装置１の制御部１１は入力部１３から録画装置２側への入力切り替え信号を受け付け、これを受け付けた場合入力を録画装置２側へ切り替える（ステップＳ９１）。ユーザは録画予約を開始する場合、録画装置２の入力部２３から録画予約の開始ボタンを操作する。録画装置２側の制御部２１は、入力部２３の録画予約の開始ボタンに起因する録画予約の開始信号を入力部２３から受け付けたか否かを判断する（ステップＳ９２）。制御部２１は録画予約の開始信号を受け付けていない場合（ステップＳ９２でＮＯ）、開始信号を受け付けるまで待機する。一方、入力部２３から録画予約の開始信号を受け付けたと制御部２１が判断した場合（ステップＳ９２でＹＥＳ）、ＥＰＧ取得部２９はデータストリームからＥＰＧを取得する（ステップＳ９３）。取得されたＥＰＧは制御部２１へ出力される。
【００５４】
制御部２１は記憶部２５のレコーダ側予約情報ファイル２５１を参照し、記憶されている予約情報を読み出す（ステップＳ９４）。制御部２１は読み出した予約情報に係る日時情報及びチャンネル上のＥＰＧに予約情報を合成する（ステップＳ９５）。制御部２１はＥＰＧを、ＧＵＩ表示処理部２２を介して通信部２６へ出力する。通信部２６はＥＰＧを表示装置１へ送信する（ステップＳ９６）。表示装置１の制御部１１はＥＰＧを受信し、図７の如くＥＰＧを表示部１４へ表示する（ステップＳ９７）。
【００５５】
録画装置２の制御部２１は入力部２３から予約情報を受け付ける（ステップＳ９８）。制御部２１は受け付けた予約情報が、レコーダ側予約情報ファイル２５１に記憶された予約情報に重複するか否かを判断する（ステップＳ９９）。制御部２１は重複すると判断した場合（ステップＳ９９でＹＥＳ）、記憶部２５に予め記憶した警告画面を読み出し、読み出した警告画面をＥＰＧに合成する（ステップＳ９１０）。制御部２１は警告画面が合成されたＥＰＧを表示装置１へ送信する（ステップＳ９１１）。表示装置１の制御部１１は警告画面が合成されたＥＰＧを受信し、これを表示部１４に表示する（ステップＳ９１２）。なお、ステップＳ９１１の後、制御部２１は処理をステップＳ９８へ戻す。
【００５６】
一方、制御部２１が受け付けた予約情報が読み出した予約情報に重複しないと判断した場合（ステップＳ９９でＮＯ）、受け付けた予約情報を表示装置１へ送信する（ステップＳ１０１）。なお、この予約情報は通信部２６と通信部１６との間のＣＥＣ情報として送信される。表示装置１の制御部１１は送信された予約情報を受信する（ステップＳ１０２）。表示装置１の制御部１１はテレビ側予約情報ファイル１５１から予約情報を読み出す（ステップＳ１０３）。また制御部１１はレコーダ側予約情報ファイル１５２から予約情報を読み出す（ステップＳ１０４）。制御部１１はステップＳ１０２で受信した予約情報がステップＳ１０３及びＳ１０４で読み出した予約情報と重複するかを判断する（ステップＳ１０５）。
【００５７】
制御部１１は重複すると判断した場合（ステップＳ１０５でＹＥＳ）、記憶部１５に記憶した警告画面を読み出す（ステップＳ１０６）。そして読み出した警告画面をＧＵＩ表示処理部１２へ出力する。ＧＵＩ表示処理部１２は表示部１４に表示されているＥＰＧ上に、図８の如く警告画面を割り込み表示する（ステップＳ１０７）。なお、ステップＳ１０７の処理の後、制御部２１は処理を再びステップＳ９８へ戻す。一方、制御部１１は重複しないと判断した場合（ステップＳ１０５でＮＯ）、表示装置１側のレコーダ側予約情報ファイル１５２に、ステップＳ１０２で受信した予約情報を記憶する（ステップＳ１０８）。また制御部１１は予約を許可する旨の信号を録画装置２へ送信する（ステップＳ１０９）。
【００５８】
なお、この予約を許可する旨の信号も通信部１６及び通信部２６間のＣＥＣ情報として送信するようにすれば良い。録画装置２の制御部２１は予約を許可する旨の信号の受信する（ステップＳ１０１０）。制御部２１は、ステップＳ９８にて入力部２３から受け付けた予約情報をレコーダ側予約情報ファイル２５１に記憶する（ステップＳ１０１１）。これにより、録画装置２側から録画予約を行う際に、表示装置１側で既に登録された予約情報との重複を未然に回避することが可能となる。
【００５９】
本実施の形態２は以上の如き構成としてあり、その他の構成及び作用は実施の形態１と同様であるので、対応する部分には同一の参照番号を付してその詳細な説明を省略する。
【図面の簡単な説明】
【００６０】
【図１】表示装置のハードウェア構成を示すブロック図である。
【図２】録画装置のハードウェア構成を示すブロック図である。
【図３】ＥＰＧの表示イメージを示す説明図である。
【図４】警告画面の表示イメージを示す説明図である。
【図５】予約情報の表示処理の手順を示すフローチャートである。
【図６】予約情報の表示処理の手順を示すフローチャートである。
【図７】録画装置側のＥＰＧの表示イメージを示す説明図である。
【図８】録画装置側における警告画面の表示イメージを示す説明図である。
【図９】実施の形態２に係る録画予約処理の手順を示すフローチャートである。
【図１０】実施の形態２に係る録画予約処理の手順を示すフローチャートである。
【図１１】実施の形態２に係る録画予約処理の手順を示すフローチャートである。
【符号の説明】
【００６１】
１      表示装置
２      録画装置
１１    制御部
１２    ＧＵＩ表示処理部
１３    入力部
１４    表示部
１５    記憶部
１６    通信部
１７    チューナ
１８    時計部
１９    ＥＰＧ取得部
２１    制御部
２２    ＧＵＩ表示処理部
２３    入力部
２５    記憶部
２６    通信部
２７    チューナ
２８    時計部
２９    ＥＰＧ取得部
１５１  テレビ側予約情報ファイル
１５２  レコーダ側予約情報ファイル
１７１  映像データ処理部
２５１  レコーダ側予約情報ファイル
２７１  映像データ処理部
２７２  録画再生部
【図１】
2008301276.tif 000003
【図２】
2008301276.tif 000004
【図３】
2008301276.tif 000005
【図４】
2008301276.tif 000006
【図５】
2008301276.tif 000007
【図６】
2008301276.tif 000008
【図７】
2008301276.tif 000009
【図８】
2008301276.tif 000010
【図９】
2008301276.tif 000011
【図１０】
2008301276.tif 000012
【図１１】
2008301276.tif 000013